(57)【要約】【課題】フリーボックス等のロッカー装置において、一定期間内に何度も利用できるワンデイ機能と、一回の利用で設定が消去されるワンタイム機能とを運用できるようにし、運用効率を高める。【解決手段】操作部１の制御ユニット１０により複数のロッカーボックス２の錠装置２１の施解錠を制御する。操作部１において管理者がロッカーボックス２の設定を行う。任意のロッカーボックスのボックス番号の入力を可能とし、そのボックス番号のみワンデイ機能に設定する。その他のボックス番号はワンタイム機能に設定する。ワンディ機能のロッカーボックスに対しては利用者から聞いた暗証番号を予め登録しておく。制御ユニット１０の処理において、入力されるボックス番号に応じてワンデイ機能かワンタイム機能の何れに設定されているかを判定する。判定された機能に対応する処理を行う。【選択図】図１
2008248652.tif 000002
【特許請求の範囲】
【請求項１】
複数のロッカーボックスと、該ロッカーボックスに対応して設定されたＩＤコードと入力されたＩＤコードとを照合して該ロッカーボックスを解錠制御する制御手段とを備えたロッカー装置において、
前記複数のロッカーボックスの任意のロッカーボックスに対して、定期モードまたは一回モードの何れかに設定するモード設定手段を備え、
制御手段は、
前記定期モードのロッカーボックスに対しては、ＩＤコードの設定解除状態で最初に解錠操作を行うときに入力されるＩＤコードを当該ロッカーボックスのＩＤコードとして設定し、一定期間は当該ロッカーボックスに設定されているＩＤコードにより該ロッカーボックスを解錠制御し、
前記一回モードのロッカーボックスに対しては、ＩＤコードの設定解除状態で最初に解錠操作を行うときに入力されるＩＤコードを当該ロッカーボックスのＩＤコードとして設定して該ＩＤコードにより該ロッカーボックスを解錠制御するとともに、次の解錠操作の後に該ＩＤコードを設定解除する、
ことを特徴とするロッカー装置。
【請求項２】
複数のロッカーボックスと、該ロッカーボックスに対応して設定されたＩＤコードと入力されたＩＤコードとを照合して該ロッカーボックスを解錠制御する制御手段とを備えたロッカー装置において、
前記複数のロッカーボックスの任意のロッカーボックスに対して、定期モードまたは一回モードの何れかに設定するとともに、定期モードのロッカーボックスについては該ロッカーボックスのＩＤコードを予め設定するモード設定手段を備え、
制御手段は、
前記定期モードのロッカーボックスに対しては、一定期間は当該ロッカーボックスに設定されているＩＤコードにより該ロッカーボックスを解錠制御し、
前記一回モードのロッカーボックスに対しては、ＩＤコードの設定解除状態で最初に解錠操作を行うときに入力されるＩＤコードを当該ロッカーボックスのＩＤコードとして設定して該ＩＤコードにより該ロッカーボックスを解錠制御するとともに、次の解錠操作の後に該ＩＤコードを設定解除する、
ことを特徴とするロッカー装置。
【請求項３】
前記制御手段が、前記定期モードに設定されたロッカーボックスに対して、個人ＩＤの認証後に入力されるＩＤコードを当該ロッカーボックスのＩＤコードとして設定することを特徴とする請求項２に記載のロッカー装置。
【発明の詳細な説明】
【技術分野】
【０００１】
本発明は、ゴルフ場、スポーツジム、ホテルあるいは病院等の各種の施設で利用者が利用する貴重品ボックスあるいはロッカー等のロッカー装置に関する。
【背景技術】
【０００２】
従来、この種のロッカー装置として、例えば特開２００６−２１９９２１号広報（特許文献１）に開示されたものがある。この特許文献１には、例えば１日に何度もロッカーを利用できる機能や、１日に何人もの利用者が同じロッカーを利用する機能すなわち利用者が１回利用可能な機能が開示されている。また、暗証番号を照合して解錠制御を行う技術が開示されている。
【特許文献１】特開２００６−２１９９２１号公報
【発明の開示】
【発明が解決しようとする課題】
【０００３】
前記貴重品ボックス等は「フリーボックス」と称され、このようなフリーボックスでは、全体を一括して集中制御する操作部（制御部）にて複数のボックスを管理する構成になっている。そして、例えば１日に何度も利用できるモード（「ワンディ」という。）か、一回だけ利用できるモード（「ワンタイム」という。）の何れかに設定することはできるが、これらのモードは全部のボックスに対して共通に１つのモードしか設定できない。このため、両方のモードで運用したい施設では、ワンデイに設定されたフリーボックスと、ワンタイムに設定されたフリーボックスとの少なくとも２台のフリーボックスが必要となり、運用効率が悪いという問題がある。
【０００４】
本発明は、ワンデイ（定期モード）の機能とワンタイム（一回モード）の機能を１台のフリーボックスで任意に設定できるようにし、運用効率の高まるロッカー装置を提供することを課題とする。
【課題を解決するための手段】
【０００５】
請求項１のロッカー装置は、複数のロッカーボックスと、該ロッカーボックスに対応して設定されたＩＤコードと入されたＩＤコードとを照合して該ロッカーボックスを解錠制御する制御手段とを備えたロッカー装置において、前記複数のロッカーボックスの任意のロッカーボックスに対して、定期モードまたは一回モードの何れかに設定するモード設定手段を備え、制御手段は、前記定期モードのロッカーボックスに対しては、ＩＤコードの設定解除状態で最初に解錠操作を行うときに入力されるＩＤコードを当該ロッカーボックスのＩＤコードとして設定し、一定期間は当該ロッカーボックスに設定されているＩＤコードにより該ロッカーボックスを解錠制御し、前記一回モードのロッカーボックスに対しては、ＩＤコードの設定解除状態で最初に解錠操作を行うときに入力されるＩＤコードを当該ロッカーボックスのＩＤコードとして設定して該ＩＤコードにより該ロッカーボックスを解錠制御するとともに、次の解錠操作の後に該ＩＤコードを設定解除する、ことを特徴とする。
【０００６】
請求項２のロッカー装置は、複数のロッカーボックスと、該ロッカーボックスに対応して設定されたＩＤコードと入力されたＩＤコードとを照合して該ロッカーボックスを解錠制御する制御手段とを備えたロッカー装置において、前記複数のロッカーボックスの任意のロッカーボックスに対して、定期モードまたは一回モードの何れかに設定するとともに、定期モードのロッカーボックスについては該ロッカーボックスのＩＤコードを予め設定するモード設定手段を備え、制御手段は、前記定期モードのロッカーボックスに対しては、一定期間は当該ロッカーボックスに設定されているＩＤコードにより該ロッカーボックスを解錠制御し、前記一回モードのロッカーボックスに対しては、ＩＤコードの設定解除状態で最初に解錠操作を行うときに入力されるＩＤコードを当該ロッカーボックスのＩＤコードとして設定して該ＩＤコードにより該ロッカーボックスを解錠制御するとともに、次の解錠操作の後に該ＩＤコードを設定解除することを特徴とする。
【０００７】
請求項３のロッカー装置は、請求項２に記載のロッカー装置であって、前記制御手段が、前記定期モードに設定されたロッカーボックスに対して、個人ＩＤの認証後に入力されるＩＤコードを当該ロッカーボックスのＩＤコードとして設定することを特徴とする。
【０００８】
請求項１のロッカー装置において、例えばワンデイの機能として設定された定期モードのロッカーボックスにおいては、１回の解錠操作を行うときにＩＤコードを設定し、ＩＤコードによって解錠を行った後も一定期間はＩＤコードが設定状態であり、その一定期間内には何度でもＩＤコードにより解錠を行うことができる（ワンデイ）。また、例えばワンタイムの機能として設定された一回モードのロッカーボックスにおいては、１回の解錠操作を行うときにＩＤコードを設定し、次に解錠操作を行うとＩＤコードが解除されるのて、ＩＤコードの設定及び解錠という一回の使用を繰り返すことができる。なお、「ワンデイ」の機能は１日（２４時間）とは限らない。
【０００９】
請求項２のロッカー装置において、例えばワンデイの機能として設定された定期モードのロッカーボックスにおいては、予めＩＤコードを設定しておくことにより、ＩＤコードによって解錠を行った後も一定期間はＩＤコードが設定状態であり、その一定期間内には何度でもＩＤコードにより解錠を行うことができる（ワンデイ）。また、例えばワンタイムの機能として設定された一回モードのロッカーボックスにおいては、請求項１と同様である。
【発明の効果】
【００１０】
請求項１または２のロッカー装置によれば、１台（１ユニット）のロッカー装置において、個々のロッカーボックスを定期モード（ワンデイ）または一回モード（ワンタイム）に任意に設定できるので、運用効率が高まる。
【００１１】
請求項３のロッカー装置によれば、請求項２の効果に加えて、個人ＩＤが認証された場合にＩＤコードを設定できるので、特定の利用者に対してのみ、定期モードの利用を可能することができる。
【発明を実施するための最良の形態】
【００１２】
次に、本発明のロッカー装置の実施形態を図面を参照して説明する。図１は本発明の実施形態のロッカー装置（フリーボックス）の外観正面図である。なお、この実施形態では、ＩＤコードとして暗証番号を用いる。このロッカー装置は、中央の操作部１とその周囲に複数のロッカーボックス２を配置したものである。
【００１３】
操作部１には、制御手段としての制御ユニット１０、ボックス番号、暗証番号あるいは設定データ等を入力するためのテンキー１１、利用者等に入力指示等を表示するＬＣＤ表示器１２、使用してるロッカーボックスのボックス番号や登録した暗証番号を記したレシートを発行するためのプリンタ１３、設定モードにするときに管理者がマスターキーで操作するシリンダ錠１４が配設されている。また、各ロッカーボックス２は、ロッカー扉２ａの内部に制御ユニット１０からの制御信号に基づいてロッカーボックス２を施解錠する錠装置２１を備えている。
【００１４】
図２は実施形態のロッカー装置の要部ブロック図である。制御ユニット１０には、前記のテンキー１１、ＬＣＤ表示器１２、プリンタ１３、シリンダ錠１４がそれぞれ接続されている。また、錠装置２１には図示しない扉開閉スイッチ２２及び状態表示用ＬＥＤ２３がそれぞれ接続されている。
【００１５】
また、制御ユニット１０は図３のブロック図に示すようにマイクロコンピュータで構成されており、処理プログラムに従って各種の処理を行うＣＰＵ１０ａ、ＣＰＵ１０ａが行う処理のプログラムなどを格納したＲＯＭ１０ｂと、処理過程で利用するワークエリアや各種データを格納するデータ記憶エリアなどを有するＲＡＭ１０ｃ、設定データ等を記憶するＥＥＰＲＯＭ１０ｄ及びインターフェース部１０ｅを備えている。そして、これらの各要素はバスラインによって接続されている。なお、テンキー１１、ＬＣＤ表示器１２、プリンタ１３、シリンダ錠１４はこのインターフェース部１０ｅに接続されている。
【００１６】
図４は実施形態におけるＥＥＰＲＯＭ１０ｄの各種設定データを記憶する記憶エリアを概念的に示す図である。記憶エリアは、各ロッカーボックス２に対応してボックス番号（「１，２，３，４，…」等）に対応して設けられており、定期モードとしてのワンデイ機能または一回モードとしてのワンタイム機能の何れかの設定状態を示すワンデイ・ワンタイムフラグ、ワンデイ機能のときに利用できる時間（または期間）を示す使用期間エリア、暗証番号を記憶する暗証番号エリア、空き状態か使用中かを示す使用状態フラグ等で構成されている。
【００１７】
図５及び図６は制御ユニット１０のＣＰＵ１０ａにおける制御プログラムの要部フローチャートである。図５は管理者が設定操作を行う設定モード処理のフローチャート、図６は利用者モード処理のフローチャートであり、同フローチャートを参照しながら動作を説明する。なお、以下の処理において、入力はテンキー１１で行い、表示はＬＣＤ表示器１２で行う。
【００１８】
図５の設定モード処理は、マスターキーでシリンダ錠１４が操作され、所定の操作で設定モードを選択したときに起動される。まず、ステップＳ１で、ワンデイ機能に設定するロッカーボックスのボックス番号を入力するように促す表示を行い、ステップＳ２でボックス番号が入力されるのを監視する。ボックス番号が入力されると、ステップＳ３でそのボックス番号を表示し、ステップＳ４で入力操作を完了するかを判定する。入力操作の完了でなければステップＳ２に戻って同様の処理を行い、入力操作の完了であればステップＳ５に進む。なお、このボックス番号の入力操作は、所定の範囲のボックス番号など、複数のボックス番号を一括入力できるようにしてもよい。
【００１９】
ステップＳ５では、入力されたボックス番号に対応するロッカーボックスをワンデイに設定し、その他のロッカーボックスはワンタイムに設定する。すなわち、そのロッカーボックスのワンデイ・ワンタイムフラグをセットし、他のロッカーボックスのワンデイ・ワンタイムフラグをリセットする。次に、ステップＳ６でワンデイのロッカーボックスについて、暗証番号を登録する。この暗証番号はワンデイのロッカーボックスを貸し出す利用者から予め聞いている暗証番号等である。次に、ステップＳ７で、任意の使用期間を設定する操作をするかの判定を行い、設定するのであれば、ステップＳ８でそれぞれ使用期間を入力してステップＳ９に進む。設定しないのであれば、ステップＳ９で使用期間を一定の１日に設定してステップＳ１０に進む。ステップＳ１０では、プリンタ１３で設定内容を印刷したレシートをプリントして、処理を終了する。
【００２０】
図６の利用者モード処理は運用時の処理である。なお、ロッカー装置の電源投入時ににはワンタイムに設定されているロッカーボックスは空き状態を示すＬＥＤランプ等が点灯している。まず、ステップＳ１１で、利用するロッカーボックスのボックス番号を入力するように促す表示を行い、ステップＳ１２でボックス番号が入力されるのを監視する。ボックス番号が入力されると、ステップＳ１３で、入力されたボックス番号のロッカーボックスがワンデイか否かを判定する。ワンデイであれば、ステップＳ１４に進み、ワンデイでなければワンタイムであるのでステップＳ２２に進む。
【００２１】
ステップＳ１４では、使用期間内であるか否かを判定し、使用期間内でなければステップＳ１１に戻り、使用期間内であればステップＳ１５に進む。ステップＳ１５では、暗証番号を入力するように促す表示を行い、ステップＳ１６で暗証番号が入力されるのを監視する。暗証番号が入力されると、ステップＳ１７で、入力された暗証番号がそのロッカーボックスに設定されている暗証番号と一致するかを判定し、一致しなければステップＳ１８で「一致しないのでやり直して下さい」等の表示を行ってステップＳ１１に戻る。一致していれば、ステップＳ１９でそのロッカーボックスの錠装置２１を解錠し、ステップＳ２０でロッカーボックスの扉の開閉動作を監視する。扉が開閉されれば、ステップＳ２１で錠装置２１を施錠してステップＳ１１に戻る。
【００２２】
以上の処理はワンデイ機能の処理であり、ロッカーボックスに対応して予め設定されている暗証番号に基づいてロッカーボックスの開閉を行うことができ、この暗証番号は設定されたままであるので、使用期間内であれば何度でも利用できる。なお、この実施形態では、ワンデイ機能の使用期間として任意の時間あるいは任意の期間を設定できるので、多様な運用を行うこともできる。
【００２３】
ステップＳ１３でワンタイムであった場合は、ステップＳ２２で暗証番号を入力するように促す表示を行い、ステップＳ２３で暗証番号が入力されるのを監視する。暗証番号が入力されると、ステップＳ２４で、入力されたボックス番号のロッカーボックスが使用中であるか否かを判定する。使用中でなければステップＳ２５で、入力された暗証番号をそのロッカーボックスの暗証番号として登録し、ステップＳ１９に進む。この場合は、利用者によって暗証番号が登録されるとともに、ステップＳ１９以降で扉の開閉及び施錠を行って、ワンタイムの利用開始となる。
【００２４】
一方、ロッカーボックスが使用中であれば、例えば利用者が現在利用しているロッカーボックスを開ける操作であり、ステップＳ２６で、入力された暗証番号がそのロッカーボックスに設定されている暗証番号と一致するかを判定し、一致しなければステップＳ２７で「一致しないのでやり直して下さい」等の表示を行ってステップＳ１１に戻る。一致していれば、ステップＳ２８でそのロッカーボックスの錠装置２１を解錠し、ステップＳ２９でロッカーボックスの扉の開閉動作を監視する。扉が開閉されれば、ステップＳ３０で錠装置２１を施錠し、ステップＳ３１で、そのロッカーボックスに対して設定されている暗証番号の登録を消去し、ステップＳ１１に戻る。
【００２５】
以上の処理はワンタイム機能の処理であり、利用者は利用開始時にロッカーボックスに対応して暗証番号を設定する。この暗証番号は、利用開始後にロッカーボックスの開閉を一回行うと、登録が消去される。したがって、そのロッカーボックスを別の利用者が利用することもできる。
【００２６】
以上の実施形態では、ワンデイに設定したロッカーボックスの暗証番号を管理者が同時に設定して登録するようにしているが、このワンデイにおける暗証番号の登録を利用者が行えるようにしてもよい。この場合には、例えば特定の利用者が管理者に対して申し出て、個人が認証された時に、管理者からボックス番号とこれに対応するパスワード等の個人ＩＤの情報を管理者から提示を受けるようにする。一方、制御ユニット側においては、設定モードのステップＳ６において暗証番号を登録する代わりに個人ＩＤを登録するようにする。また、この特定の利用者は、利用開始時に提示されたボックス番号に対して個人ＩＤを入力し、この個人ＩＤを制御ユニットで照合し、認証されたら利用者の暗証番号の登録処理を行うようにすればよい。
【００２７】
以上の実施形態では、ワンデイ機能は特定の利用者だけが利用できるようにしているが、任意の利用者がワンデイ機能またはワンタイム機能のいずれかを好みによって選択できるようにしてもよい。この場合も、どのロッカーボックスをワンデイ機能にするかは管理者が管理モードで設定するが、暗証番号はワンタイムモードと同様に利用者が利用開始時に入力設定する。
【００２８】
まず、利用者モードでワンデイまたはワンタイムを選択する画面を表示し、利用者がいずれかを選択できるようにする。利用者がワンタイムを選択した場合は、前記実施形態のステップＳ２２以降の処理を行う。利用者がワンデイを選択した場合には、最初の利用開始のときにステップＳ２２〜Ｓ２５→Ｓ１９〜Ｓ２１の処理を行い、その後の利用時にはステップＳ１４〜Ｓ２１の処理を利用ごとに繰り返す処理を行う。すなわち、利用者が最初に登録した暗証番号はその後も消去されないようにする。
【図面の簡単な説明】
【００２９】
【図１】本発明の実施形態のロッカー装置の外観正面図である。
【図２】実施形態のロッカー装置の要部ブロック図である。
【図３】実施形態における制御ユニットのブロック図である。
【図４】実施形態におけるＥＥＰＲＯＭの各種設定データを記憶する記憶エリアを概念的に示す図である。
【図５】実施形態における設定モード処理のフローチャートである。
【図６】実施形態における利用者モード処理のフローチャートである。
【符号の説明】
【００３０】
１      操作部
２      ロッカーボックス
１０    制御ユニット
１０ａ  ＣＰＵ
１０ｂ  ＲＯＭ
１０ｃ  ＲＡＭ
１０ｄ  ＥＥＰＲＯＭ
１０ｅ  インターフェース部
１１    テンキー
１２    ＬＣＤ表示器
１３    プリンタ
１４    シリンダ錠
２１    錠装置
【図１】
2008248652.tif 000003
【図２】
2008248652.tif 000004
【図３】
2008248652.tif 000005
【図４】
2008248652.tif 000006
【図５】
2008248652.tif 000007
【図６】
2008248652.tif 000008